(57)【要約】本発明は支持部材と、この支持部材に所定間隔離間されて上方へ突出するように形成された一対の支持片と、この一対の支持片の対向する部位にそれぞれ形成された軸穴と、前記一対の支持片間に揺れ動き可能に位置されるダイヤ等の宝石が取付けられた宝石支持金具と、この宝石支持金具の前記一対の支持片の軸孔とそれぞれ対向する部位に、該軸孔の開口端部寄りの下部位置に支持される下部が傾斜面に形成された一対の支持軸とで構成しているので、ダイヤ等の宝石を小さな支持部材の動きでも、ダイヤ等の宝石の重心の位置が変化して自動的に揺れ動き、その輝きを最大限に発揮することができる。
2003077699.tif 000002
【特許請求の範囲】
【請求項１】
支持部材と、この支持部材に所定間隔離間されて上方へ突出するように形成された一対の支持片と、この一対の支持片の対向する部位にそれぞれ形成された軸穴と、前記一対の支持片間に揺れ動き可能に位置されるダイヤ等の宝石が取付けられた宝石支持金具と、この宝石支持金具の前記一対の支持片の軸孔とそれぞれ対向する部位に、該軸孔の開口端部寄りの下部位置に支持される下部が傾斜面に形成された一対の支持軸とからなることを特徴とする身飾品。
【請求項２】
支持部材は手の指に嵌めることができるリング状に形成されていることを特徴とする請求項１記載の身飾品。
【請求項３】
支持部材はチェーンで吊り下げられるように形成されていることを特徴とする請求項１記載の身飾品。
【請求項４】
支持部材は腕に嵌められるように形成されていることを特徴とする請求項１記載の身飾品。
【請求項５】
支持部材は衣服に安全ピンやクリップによって取付けられるように形成されていることを特徴とする請求項１記載の身飾品。
【請求項６】
一対の支持片にそれぞれ形成された軸穴の少なくとも一方は支持片に螺合固定されるボルトの先端部に形成されていることを特徴とする請求項１〜４いずれかに記載の身飾品。
【請求項７】
支持部材と、この支持部材に所定間隔離間されて上方へ突出するように形成された一対の支持片と、この一対の支持片の対向する部位にそれぞれ形成された下部が、開口端部側が広くなるような傾斜面に形成された軸穴と、前記一対の支持片間に揺れ動き可能に位置されるダイヤ等の宝石が取付けられた宝石支持金具と、この宝石支持金具の前記一対の支持片の軸孔とそれぞれ対向する部位に、該軸孔のほぼ中央部の下部傾斜面に先端部が位置する一対の円柱状の支持軸とからなることを特徴とする身飾品。
【請求項８】
支持部材本体、この支持部材本体に回転可能あるいは所定量回動可能に取付けられた回動部材とからなる支持部材と、この支持部材の回動部材に所定間隔離間されて上方へ突出するように形成された一対の支持片と、この一対の支持片の対向する部位にそれぞれ形成された軸穴と、前記一対の支持片間に揺れ動き可能に位置されるダイヤ等の宝石が取付けられた宝石支持金具と、この宝石支持金具の前記一対の支持片の軸孔とそれぞれ対向する部位に、該軸孔の開口端部寄りの下部位置に支持される下部が傾斜面に形成された一対の支持軸とからなることを特徴とする身飾品。
【請求項９】
支持部材と、この支持部材に所定間隔離間されて上方へ突出するように形成された一対の支持片と、この一対の支持片の対向する部位にそれぞれ形成された上部が傾斜面に形成された一対の支持軸と、前記一対の支持片間に揺れ動き可能に位置されるダイヤ等の宝石が取付けられた宝石支持金具と、この宝石支持金具の前記一対の支持片の支持軸とそれぞれ対向する部位に、該支持軸の先端部よりの部位が挿入され上面で支持される一対の軸穴とからなることを特徴とする身飾品。
【発明の詳細な説明】
背景技術
本発明は指輪、ネックレス、ペンダント、イヤリング、ブレスレット、ブローチ、ネクタイピン、カフスボタン等の身飾品に関する。
従来、この種の身飾品はリングやチェーン等の吊り下げ具に取付けられる支持部材に、ダイヤ等の宝石を固定的に取付ける構造になっている。
従来の支持部材にダイヤ等の宝石を固定的に取付ける指輪、ネックレス、ペンダント、イヤリング、ブレスレット、ブローチ、ネクタイピン、カフスボタン等の身飾品は、ダイヤ等の宝石に当る光の反射具合によってきれいさを図ったり、目立つかを図っているが、支持部材にダイヤ等の宝石が固定的に取付けられているため、使用時にはダイヤ等の宝石の動きが少なく、キラキラ輝かせることができないという欠点があった。
本発明は以上のような従来の欠点に鑑み、ダイヤ等の宝石を小さな支持部材の動きでも、ダイヤ等の宝石の重心の位置が変化して自動的に揺れ動き、その輝きを最大限に発揮することができる身飾品を提供することを目的としている。
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
発明の開示
上記目的を達成するために、本発明は支持部材と、この支持部材に所定間隔離間されて上方へ突出するように形成された一対の支持片と、この一対の支持片の対向する部位にそれぞれ形成された軸穴と、前記一対の支持片間に揺れ動き可能に位置されるダイヤ等の宝石が取付けられた宝石支持金具と、この宝石支持金具の前記一対の支持片の軸孔とそれぞれ対向する部位に、該軸孔の開口端部寄りの下部位置に支持される下部が傾斜面に形成された一対の支持軸とで身飾品を構成している。
発明を実施するための最良の形態
以下、図面に示す実施の形態により、本発明を詳細に説明する。
第１図ないし第７図に示す本発明の第１の実施の形態において、１は指輪として使用することができる本発明の身飾品で、この身飾品１は手の指に嵌めることができる貴金属材でリング状に形成された支持部材２と、この支持部材２の外周部に所定間隔離間されて上方へ突出するように一体形成あるいは溶接等によって固定状態に形成された一対の支持片３、３と、この一対の支持片３、３の対向する中央部にそれぞれ形成されたねじ孔４、４と、このねじ孔４、４にそれぞれ螺合される取付け用のボルト５、５と、このボルト５、５の対向する先端部に丸穴６および該丸穴６と連通する開口端部側が順次拡開する皿状の皿穴７とからなる軸穴８、８と、前記一対の支持片３、３間に揺れ動き可能に位置されるダイヤ等の宝石９が取付けられた宝石支持金具１０と、この宝石支持金具１０の前記一対の支持片３、３の軸穴８、８とそれぞれ対向する部位に固定した、該軸穴８、８の丸穴６、６の開口端部の下部位置に支持される下部が傾斜面１１、１１に形成された三角錐あるいは三角錐台形状の一対の支持軸１２、１２とで構成されている。
上記構成の指輪として使用することができる身飾品１は、一対の支持片３、３の取付け用のボルト５、５間が広くなるように位置させた後、ダイヤ等の宝石９が取付けられた宝石支持金具１０の一対の支持軸１２、１２が軸穴８、８内に位置させ、該一対の支持軸１２、１２の先端部が丸穴６、６のほぼ中央部に位置するように締付け、接着剤をボルト５、５とねじ孔４、４との間に充填して抜け止めを図る。
このように組付けられた指輪として使用することができる身飾品１は、支持部材２の移動によりダイヤ等の宝石９が取付けられた宝石支持金具１０の重心位置が変化し、一対の支持軸１２、１２を中心に回動するように揺れ動く。
また、一対の支持軸１２、１２の下部が傾斜面１１、１１の三角錐あるいは三角錐台形状であるため、該一対の支持軸１２、１２の軸心方向にも移動するが、揺れ動きながら自動的に中心に位置するように移動する。
他の実施例
次に、第８図ないし第４６図に示す本発明の異なる実施の形態につき説明する。なお、これらの本発明の異なる実施の形態の説明に当って、前記本発明の第１の実施の形態と同一構成部分には同一符号を付して重複する説明を省略する。
第８図ないし第１０図に示す本発明の第２の実施の形態において、前記本発明の第１の実施の形態と主に異なる点は、ボルト５Ａ、５Ａの先端部に丸穴だけの軸穴８Ａ、８Ａを形成したものを用いた点で、このように形成した軸穴８Ａ、８Ａを用いて構成した身飾品１Ａにしても、前記本発明の第１の実施の形態と同様な作用効果が得られる。
第１１図ないし第１３図に示す本発明の第３の実施の形態において、前記本発明の第１の実施の形態と主に異なる点は、円錐あるいは円錐台形状の一対の支持軸１２Ａ、１２Ａを宝石支持金具１０に固定した点で、このように形成された一対の支持軸１２Ａ、１２Ａを用いて構成された身飾品１Ｂにしても、前記本発明の第１の実施の形態と同様な作用効果が得られる。
第１４図ないし第１６図に示す本発明の第４の実施の形態において、前記本発明の第１の実施の形態と主に異なる点は、半円錐あるいは半円錐台形状の一対の支持軸１２Ｂ、１２Ｂを宝石支持金具１０に固定した点で、このように形成された一対の支持軸１２Ｂ、１２Ｂを用いて構成された身飾品１Ｃにしても、前記本発明の第１の実施の形態と同様な作用効果が得られる。
第１７図ないし第１９図に示す本発明の第５の実施の形態において、前記本発明の第１の実施の形態と主に異なる点は、一対の支持片３、３に上部に開口する挿入溝１３、１３および軸穴８Ｂ、８Ｂを形成して、宝石支持金具１０の一対の支持軸１２、１２を挿入溝１３、１３より軸穴８Ｂ、８Ｂに支持させることができるようにするとともに、前記挿入溝１３、１３を覆う挿入溝カバー１４、１４を該挿入溝１３、１３に嵌合固定した点で、このように構成した身飾品１Ｄにしても前記本発明の第１の実施の形態と同様な作用効果が得られる。
なお、本発明の実施の形態において、挿入溝１３、１３を支持片３、３の側面部位に形成したものを用いてもよい。
第２０図ないし第２２図に示す本発明の第６の実施の形態において、前記本発明の第５の実施の形態と主に異なる点は、円柱状の一対の支持軸１２Ｃ、１２Ｃを宝石支持金具１０に固定するとともに、一対の支持片３、３に下部が開口端部側が広くなるような傾斜面１５、１５に形成した軸穴８Ｃ、８Ｃを形成した点で、このように構成した身飾品１Ｅにしても、前記本発明の第５の実施の形態と同様な作用効果が得られる。
第２３図ないし第２５図に示す本発明の第７の実施の形態において、前記本発明の第１の実施の形態と主に異なる点は、一対の支持片３、３に軸穴８Ｄ、８Ｄを直接形成するとともに、該一対の支持片３、３を支持部材２に形成した嵌合凹部１６、１６に嵌合固定した点で、このように構成した身飾品１Ｆにしても、前記本発明の第１の実施の形態と同様な作用効果が得られる。
なお、本発明の実施の形態では一対の支持片３、３を支持部材２に接着剤を用いて固定したり、ビスを用いて固定してもよい。
第２６図ないし第２８図に示す本発明の第８の実施の形態において、前記本発明の第１の実施の形態と主に異なる点は、手の指に嵌めることができるリング状の支持部材本体１７と、この支持部材本体１７の上部に回転可能あるいは所定量回動可能に取付けられた一対の支持片３、３が形成された回動部材１８とからなる支持部材２Ａを用いた点で、このように形成された支持部材２Ａを用いて構成した身飾品１Ｇにしても、前記本発明の第１の実施の形態と同様な作用効果が得られるとともに、回動部材１８を回動して、よりスムーズにダイヤ等の宝石９が取付けられた宝石支持金具１０が揺れ動くようにして使用することができる。
第２９図ないし第３１図に示す本発明の第９の実施の形態において、前記本発明の第１の実施の形態と主に異なる点は、ネックレスとして使用することができるように任意の形状、本発明の実施の形態ではハート型の支持部材２Ｂにチェーン１９を支持するチェーン支持リング２０を形成するとともに、ダイヤ等の宝石９が正面に位置するようにバランス重り１０ａが形成された宝石支持金具１０を用いた点で、このように構成した身飾品１Ｈにしてもネッレスとして使用でき、かつ前記本発明の第１の実施の形態と同様な作用効果が得られる。
第３２図ないし第３４図に示す本発明の第１０の実施の形態において、前記本発明の第１の実施の形態と主に異なる点は、腕に嵌められるようにＣ字状のリングに形成した支持部材２Ｃを用いた点で、このように構成した身飾品１Ｉにしてもブレスレットとして使用でき、かつ前記本発明の第１の実施の形態と同様な作用効果が得られる。
第３５図ないし第３７図に示す本発明の第１１の実施の形態において、前記本発明の第９の実施の形態と主に異なる点は、ブローチとして使用することができるように任意の形状、本発明の実施の形態では葉の形状に形成された支持部材２Ｄの背面に安全ピン２１を取付けた点で、このように構成された身飾品１Ｊにしてもブローチとして使用でき、かつ前記本発明の第１の実施の形態と同様な作用効果が得られる。
なお、本発明の実施の形態では安全ピン２１に代え、クリップやピンの先端部を着脱可能に係止する係止具を備えるものを用いてもよい。
第３８図ないし第４０図に示す本発明の第１２の実施の形態において、前記本発明の第９の実施の形態と主に異なる点は、ネクタイピンとして使用することができるように、任意の形状のクリップ状の支持部材２Ｅを用いた点で、このように形成された支持部材２Ｅを用いて構成した身飾品１Ｋは、ネクタイタピンとして使用することができ、かつ前記本発明の第１の実施の形態と同様な作用効果が得られる。
第４１図ないし第４３図に示す本発明の第１３の実施の形態において、前記本発明の第９の実施の形態と主に異なる点は、カフスボタンとして使用することができるように、任意の形状のカフスボタン形状の支持部材２Ｆを用いた点で、このように形成された支持部材２Ｆを用いて構成した身飾品１Ｌは、カフスボタンとして使用することができ、かつ前記本発明の第１の実施の形態と同様な作用効果が得られる。
第４４図ないし第４６図に示す本発明の第１４の実施の形態において、前記本発明の第１の実施の形態と主に異なる点は、一対の支持片３、３の対向する部位にそれぞれ設けられた上部が傾斜面２２に形成された一対の支持軸２３、２３と、前記一対の支持片３、３間に揺れ動き可能に位置されるダイヤ等の宝石９が取付けられた宝石支持金具１０Ａの前記一対の支持片３、３の支持軸２３、２３とそれぞれ対向する部位に形成された該支持軸２３、２３の先端部よりの部位が挿入され上面で支持される一対の軸穴２４、２４を用いた点で、このように構成した身飾品１Ｍにしても、前記本発明の第１の実施の形態と同様な作用効果が得られる。
なお、前記本発明の第９、第１０、第１１、第１２、第１３、第１４の実施の形態の説明では、前記第１の実施の形態の構成を用いるものについて説明したが、本発明はこれに限らず、前記第２〜第８の実施の形態の構成を、前記第９〜第１４の実施の形態に用いてもよい。
また、前記本発明の各実施の形態では宝石支持金具にダイヤ等の宝石を取付けるものに付いて説明したが、本発明はこれに限らず、ダイヤ等の宝石の代わりに鏡面仕上げあるいは鏡に模様や文字等を記載したり、あるいはこれらの模様や文字等に加えて小さなダイヤ等の宝石を固定した反射体を用いても良い。
この場合、宝石支持金具と反射体とを一体あるいは別体に形成したものを用いても良い。
以上の説明から明らかなように、本発明にあっては次に列挙する効果が得られる。
（１）支持部材と、この支持部材に所定間隔離間されて上方へ突出するように形成された一対の支持片と、この一対の支持片の対向する部位にそれぞれ形成された軸穴と、前記一対の支持片間に揺れ動き可能に位置されるダイヤ等の宝石が取付けられた宝石支持金具と、この宝石支持金具の前記一対の支持片の軸孔とそれぞれ対向する部位に、該軸孔の開口端部寄りの下部位置に支持される下部が傾斜面に形成された一対の支持軸とで構成されているので、支持部材の動きでダイヤ等の宝石が取付けられた宝石支持金具の重心位置が変化して、宝石支持金具を自動的に揺れ動かすことができる。
したがって、宝石支持金具に取付けられたダイヤ等の宝石の輝きを最大限に発揮させることができる。
（２）前記（１）によって、一対の支持片の軸穴の開口端部寄りの下部に、下部が傾斜面に形成された支持軸が支持されているので、宝石支持金具をスムーズに揺れ動かすことができる。
（３）前記（２）によって、一対の支持軸の先端部間の寸法よりも大きく一対の支持片の軸穴間の寸法に形成することができる。
したがって、容易に一対の軸穴間にダイヤ等の宝石が取付けられた宝石支持金具を取付けることができる。
（４）前記（２）によって、一対の支持軸の軸心方向に移動しても、一対の支持軸の下部が傾斜面に形成されているため、宝石支持金具の揺れ動きによって自動的に中央部に移動させることができる。
（５）請求項２、３、４、５、６、７、８、９も前記（１）〜（４）と同様な効果が得られる。
【図面の簡単な説明】
第１図は本発明の第１の実施の形態の平面図。
第２図は本発明の第１の実施の形態の正面図。
第３図は本発明の第１の実施の形態の側面図。
第４図は第１図の４−４線に沿う拡大断面図。
第５図は第４図の５−５線に沿う断面図。
第６図は第４図の６−６線に沿う断面図。
第７図は本発明の第１の実施の形態の揺れ動き状態の説明図。
第８図は本発明の第２の実施の形態形態の平面図。
第９図は第８図の９−９線に沿う拡大断面図。
第１０図は本発明の第２の実施の形態形態の支持片部の説明図。
第１１図は本発明の第３の実施の形態の平面図。
第１２図は第１１図の１２−１２線に沿う拡大断面図。
第１３図は第１２図の１３−１３線に沿う断面図。
第１４図は本発明の第４の実施の形態の平面図。
第１５図は第１４図の１５−１５線に沿う拡大断面図。
第１６図は第１５図の１６−１６線に沿う断面図。
第１７図は本発明の第５の実施の形態の平面図。
第１８図は第１７図の１８−１８線に沿う拡大断面図。
第１９図は本発明の第５の実施の形態の支持片部の説明図。
第２０図は本発明の第６の実施の形態の平面図。
第２１図は第２０図の２１−２１線に沿う拡大断面図。
第２２図は本発明の第６の実施の形態の支持片部の説明図。
第２３図は本発明の第７の実施の形態の平面図。
第２４図は第２３図の２４−２４線に沿う拡大断面図。
第２５図は本発明の第７の実施の形態の支持片部の説明図。
第２６図は本発明の第８の実施の形態の平面図。
第２７図は第２６図の２７−２７線に沿う拡大断面図。
第２８図は第２７図の２８−２８線に沿う断面図。
第２９図は本発明の第９の実施の形態の平面図。
第３０図は本発明の第９の実施の形態の正面図。
第３１図は本発明の第９の実施の形態の側面図。
第３２図は本発明の第１０の実施の形態の平面図。
第３３図は本発明の第１０の実施の形態の正面図。
第３４図は本発明の第１０の実施の形態の一部破断側面図。
第３５図は本発明の第１１の実施の形態の平面図。
第３６図は本発明の第１１の実施の形態の正面図。
第３７図は本発明の第１１の実施の形態の側面図。
第３８図は本発明の第１２の実施の形態の平面図。
第３９図は本発明の第１２の実施の形態の正面図。
第４０図は本発明の第１２の実施の形態の側面図。
第４１図は本発明の第１３の実施の形態の平面図。
第４２図は本発明の第１３の実施の形態の正面図。
第４３図は本発明の第１３の実施の形態の側面図。
第４４図は本発明の第１４の実施の形態の平面図。
第４５図は第４４図の２５−２５線に沿う拡大断面図。
第４６図は第４５図の２６−２６線に沿う断面図。
【図１】
2003077699.tif 000003
【図２】
2003077699.tif 000004
【図３】
2003077699.tif 000005
【図４】
2003077699.tif 000006
【図５】
2003077699.tif 000007
【図６】
2003077699.tif 000008
【図７】
2003077699.tif 000009
【図８】
2003077699.tif 000010
【図９】
2003077699.tif 000011
【図１０】
2003077699.tif 000012
【図１１】
2003077699.tif 000013
【図１２】
2003077699.tif 000014
【図１３】
2003077699.tif 000015
【図１４】
2003077699.tif 000016
【図１５】
2003077699.tif 000017
【図１６】
2003077699.tif 000018
【図１７】
2003077699.tif 000019
【図１８】
2003077699.tif 000020
【図１９】
2003077699.tif 000021
【図２０】
2003077699.tif 000022
【図２１】
2003077699.tif 000023
【図２２】
2003077699.tif 000024
【図２３】
2003077699.tif 000025
【図２４】
2003077699.tif 000026
【図２５】
2003077699.tif 000027
【図２６】
2003077699.tif 000028
【図２７】
2003077699.tif 000029
【図２８】
2003077699.tif 000030
【図２９】
2003077699.tif 000031
【図３０】
2003077699.tif 000032
【図３１】
2003077699.tif 000033
【図３２】
2003077699.tif 000034
【図３３】
2003077699.tif 000035
【図３４】
2003077699.tif 000036
【図３５】
2003077699.tif 000037
【図３６】
2003077699.tif 000038
【図３７】
2003077699.tif 000039
【図３８】
2003077699.tif 000040
【図３９】
2003077699.tif 000041
【図４０】
2003077699.tif 000042
【図４１】
2003077699.tif 000043
【図４２】
2003077699.tif 000044
【図４３】
2003077699.tif 000045
【図４４】
2003077699.tif 000046
【図４５】
2003077699.tif 000047
【図４６】
2003077699.tif 000048
【国際調査報告】
2003077699.tif 000049
2003077699.tif 000050